【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
フラッシュバルブであって、
（ａ）トイレタンクの中の排水路の上方に配置される寸法の収容部と、
（ｂ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される浮き組立体と、
（ｃ）前記収容部の中の前記空気室と外気とを連通する第１の空気通路と、
（ｄ）前記第１の空気通路を選択的に開閉するアクチュエータと、
（ｅ）前記浮き部材の内側と外気とを洗浄サイクルの間にわたり連続的に連通して前記浮き部材の内側の圧力を前記洗浄サイクルの間にわたり外気圧に維持する空気通路と
を備えるフラッシュバルブ。
【請求項２】
前記浮き組立体は、開放下端を有する中空の浮き部材を備える請求項１に記載のフラッシュバルブ。
【請求項３】
前記第１の空気通路を選択的に開閉するアクチュエータは、前記トイレタンクの外側に配置された洗浄ボタンを備える請求項１に記載のフラッシュバルブ。
【請求項４】
前記第１の空気通路を選択的に開閉するアクチュエータは、トリガセンサを備える請求項１に記載のフラッシュバルブ。
【請求項５】
前記収容部の中の前記空気室と外気とを連通する第１の空気通路は、前記収容部の中の前記空気室から前記トイレタンクの外気出口まで延在する管を備える請求項１に記載のフラッシュバルブ。
【請求項６】
前記収容部の中の前記空気室と外気とを連通する第１の空気通路は、前記収容部を通過して前記トイレタンクの中の外気に至る通路を備える請求項１に記載のフラッシュバルブ。
【請求項７】
前記浮き部材の内側と外気とを連続的に連通する空気通路は、
（ｉ）前記浮き部材の中に配置された開放上端を有する通気管と、
（ｉｉ）前記通気管の下部に接続された通気基部と、
（ｉｉｉ）前記通気基部に接続された前記外気への通気室と
を備え、
前記浮き部材の内側の空気が外気圧において一定に維持されるように、前記通気管、通気基部及び通気室の間を空気が自由に流れる請求項１に記載のフラッシュバルブ。
【請求項８】
フラッシュバルブであって、
（ａ）トイレタンクの中の排水路の上方に配置される寸法の収容部と、
（ｂ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される浮き組立体と、
（ｃ）前記収容部の中の前記空気室と外気とを連通する空気通路と、
（ｄ）前記空気通路を選択的に開閉するアクチュエータと、
（ｅ）前記浮き部材の内側と外気とを連通する空気通路であって、
（ｉ）前記浮き部材の中に配置された開放上端を有する通気管と、
（ｉｉ）前記通気管の下部に接続された通気基部と、
（ｉｉｉ）前記通気基部に接続された前記外気への通気室と
を備える空気通路と
を備え、
前記浮き部材の内側の空気が外気圧において一定に維持されるように、前記通気管、通気基部及び通気室の間を空気が自由に流れ、
前記通気室は、前記収容部内を通るオーバーフロー管を通るフラッシュバルブ。
【請求項９】
前記通気基部は、前記通気管に入る水を、前記通気基部を通って前記トイレタンクの排水路へと排出させる下開口部を有する請求項７に記載のフラッシュバルブ。
【請求項１０】
（ｆ）前記収容部の中の前記空気室と外気とを連通する第２の空気通路をさらに備え、
前記第２の空気通路は、前記第１の空気通路が前記空気室に入る位置より下方の位置において前記空気室に入る請求項１に記載のフラッシュバルブ。
【請求項１１】
フラッシュバルブであって、
（ａ）トイレタンクの中の排水路の上方に配置される寸法の収容部と、
（ｂ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される浮き組立体と、
（ｃ）前記収容部の中の前記空気室と外気とを連通する第１の空気通路と、
（ｄ）前記第１の空気通路を選択的に開閉するアクチュエータと、
（ｅ）前記浮き部材の内側と外気とを連通する第２の空気通路であって、
（ｉ）前記浮き部材の中に配置された開放上端を有する通気管と、
（ｉｉ）前記通気管の下部に接続された通気基部と、
（ｉｉｉ）前記通気基部に接続された前記外気への通気室と
を備える第２の空気通路と、
（ｆ）前記第２の空気通路を選択的に開閉するアクチュエータと
を備え、
前記浮き部材の内側の空気が外気圧において一定に維持されるように、前記通気管、通気基部及び通気室の間を空気が自由に流れ、
前記通気基部は、前記通気管に入る水を、前記通気基部を通って前記トイレタンクの排水路へと排出させる下開口部を有するフラッシュバルブ。
【請求項１２】
前記第２の空気通路を選択的に開閉するアクチュエータは、気送管又はケーブルにより作動する制御モジュールを備える請求項１１に記載のフラッシュバルブ。
【請求項１３】
前記制御モジュールは、充填弁から前記フラッシュバルブへと水が供給されているときに、ユーザが前記第１の空気通路を開放するのを防止するロック機構を有する請求項１２に記載のフラッシュバルブ。
【請求項１４】
前記制御モジュールは、充填弁から前記フラッシュバルブへと水が供給されているときに、ユーザが前記第２の空気通路を開放するのを防止するロック機構を有する請求項１２に記載のフラッシュバルブ。
【請求項１５】
前記収容部は、少なくとも１つのフロー開口部を備え、
前記浮き組立体が前記上昇位置にあるときに、タンクの水が、前記少なくとも１つのフロー開口部を通って前記収容部の下方の排水路へと流れる請求項１に記載のフラッシュバルブ。
【請求項１６】
前記少なくとも１つのフロー開口部の周りに配置されたサイフォンスカートをさらに備える請求項１５に記載のフラッシュバルブ。
【請求項１７】
前記浮き組立体は、前記浮き部材と前記排水路との間に密閉部材を備える請求項１に記載のフラッシュバルブ。
【請求項１８】
フラッシュバルブを通る流れを制御する方法であって、
（ｉ）トイレタンクの中の排水路の上方に配置される寸法の収容部と、
（ｉｉ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される浮き組立体と、
（ｉｉｉ）前記収容部の中の前記空気室と外気とを連通する第１の空気通路と、
（ｉｖ）前記第１の空気通路を選択的に開閉するアクチュエータと、
（ｖ）一端が前記浮き部材の中に配置された通気管であって、洗浄サイクルの間にわたり前記浮き部材の中の空気圧が外気条件に維持されるように、前記浮き部材の内側と外気との間において前記通気管の中を空気が自由に流れる通気管と
を備えるフラッシュバルブ組立体を設けるステップ（ａ）と、
前記第１の空気通路を開放することにより前記収容部から空気を排出させて前記浮き部材を上昇させ、それにより、水が前記浮き部材の下を通って前記排水路へと流れる洗浄を引き起こすステップ（ｂ）と
を含む方法。
【請求項１９】
引き続いて前記第１の空気通路を閉鎖することにより空気が前記収容部に入らないようにして前記浮き部材が降下するのを防止し、それにより、前記洗浄を長くするステップ（ｃ）をさらに含む請求項１８に記載の方法。
【請求項２０】
ステップ（ｂ）及び（ｃ）間の時間間隔を制御することにより洗浄水量を選択するステップ（ｄ）をさらに含む請求項１９に記載の方法。
【請求項２１】
長い時間間隔がフル洗浄に対応し、短い時間間隔が部分洗浄に対応する請求項２０に記載の方法。
【請求項２２】
引き続いて前記第１の空気通路を開放することにより前記収容部に空気が入るようにして前記浮き部材を降下させ、それにより、前記洗浄を終了するステップ（ｄ）をさらに含む請求項１９に記載の方法。
【請求項２３】
前記第１の空気通路を閉鎖したまま前記収容部に空気が入るようにして前記浮き部材を降下させ、それにより、前記洗浄を終了するステップ（ｄ）をさらに含む請求項１９に記載の方法。
【請求項２４】
前記収容部の中の前記空気室と前記外気とを連通する第２の空気通路を設けるステップと、
前記第２の空気通路を開放することにより、前記浮き部材を降下させるステップ（ｃ）と
をさらに含み、
前記第２の空気通路は、前記第１の空気通路の下方の位置において前記空気室に入る請求項１８に記載の方法。
【請求項２５】
フラッシュバルブを通る流れを制御する方法であって、
（ｉ）トイレタンクの中の排水路の上方に配置される寸法の収容部と、
（ｉｉ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される前記浮き組立体と、
（ｉｉｉ）前記収容部の中の前記空気室と外気とを連通する第１の空気通路と、
（ｉｖ）前記第１の空気通路を選択的に開閉するアクチュエータと
を備えるフラッシュバルブ組立体を設けるステップ（ａ）と、
前記第１の空気通路を開放することにより前記収容部から空気を排出させて前記浮き部材を上昇させ、それにより、水が前記浮き部材の下を通って前記排水路へと流れる洗浄を引き起こすステップ（ｂ）と、
前記収容部の中の前記空気室と前記外気とを連通する第２の空気通路であって、前記第１の空気通路の下方の位置において前記空気室に入る第２の空気通路を設けるステップ（ｃ）と、
前記第２の空気通路を開放することにより、前記浮き部材を降下させるステップ（ｄ）と
を含み、
前記第２の空気通路を開放することが部分洗浄を行うことに対応し、
前記第２の空気通路を閉鎖したままにすることがフル洗浄を行うことに対応する方法。
【請求項２６】
フラッシュバルブを通る流れを制御する方法であって、
（ｉ）トイレタンクの中の排水路の上方に配置される寸法の収容部と、
（ｉｉ）前記収容部の中を垂直方向に移動可能な浮き組立体であって、前記浮き組立体が降下位置にあるときに前記排水路を密閉し、前記浮き組立体が上昇位置にあるときに前記排水路を開放するように構成され、内部に空気を閉じ込めるための開放下端を有する浮き部材を備え、前記収容部の内側と前記浮き組立体の外側との間に空気室が形成される前記浮き組立体と、
（ｉｉｉ）前記収容部の中の前記空気室と外気とを連通する空気通路と、
（ｉｖ）前記空気通路を選択的に開閉するアクチュエータと
を備えるフラッシュバルブ組立体を設けるステップ（ａ）と、
前記空気通路を開放することにより前記収容部から空気を排出させて前記浮き部材を上昇させ、それにより、水が前記浮き部材の下を通って前記排水路へと流れる洗浄を引き起こすステップ（ｂ）と、
引き続いて前記空気通路を閉鎖することにより空気が前記収容部に入らないようにして前記浮き部材が降下するのを防止するステップ（ｃ）と、
前記トイレタンクに水が再充填される時間のわたりユーザが前記空気通路を開放することを防止するステップ（ｄ）と
を含む方法。
【請求項２７】
前記収容部の中のクランクが前記収容部の中のカムを回転させることによりピストンが、前記ユーザが前記空気通路を開放することを防止するように動く請求項２６に記載の方法。